(57)【要約】      （修正有）【課題】ブーツの筒丈に応じて調整が可能なブーツキーパーを提供する。【解決手段】調整可能なブーツキーパーは、キーパーユニット３０と調整ユニット４０を含む。前記キーパーユニット３０は、嵌合体３５を設ける主棒３１を含み、主棒３１の両側にそれぞれ弾性体３２を設け、弾性体３２上には支持壁３３を設置する。前記調整ユニット４０には、嵌合体３５に組み合わせるための挿入体４２と、挿入体４２に従って移動するキャップ４３を設ける。また、ブーツの筒に配置するキーパーユニット３０は、筒を支え、筒の変形を防ぎ、主棒３１に取り付ける調整ユニット４０は上下移動を可能とし、尚且つキャップを備える。該調整ユニット４０は、筒丈の異なる筒に応じてキャップ位置を調整することにより、キャップを筒の開口箇所に配置させ、応用性を高める目的を果たす。【選択図】図２
0003179341.tif 000002
【実用新案登録請求の範囲】
【請求項１】
主棒を備え、主棒の両側にそれぞれ弾性体を設け、弾性体上には支持壁を設置するキーパーユニットと、
キーパーユニットに組み合わせるための挿入体と、挿入体に従って移動するキャップを設ける調整ユニットとを含むことを特徴とする調整可能なブーツキーパー。
【請求項２】
前記調整可能なブーツキーパーには吸着材料を備える吸着ユニットを含むことを特徴とする請求項１に記載の調整可能なブーツキーパー。
【請求項３】
前記吸着ユニット内に設けた吸着材料は湿気を吸着する除湿剤であることを特徴とする請求項２に記載の調整可能なブーツキーパー。
【請求項４】
前記吸着ユニット内に設けた吸着材料は脱臭材料とし、例えば活性炭であることを特徴とする請求項２に記載の調整可能なブーツキーパー。
【請求項５】
前記吸着ユニットは、複数の穴を備えた外殻と、外殻上に設けた電源プラグを含むことを特徴とする請求項２から４のいずれか一項に記載の調整可能なブーツキーパー。
【請求項６】
前記調整可能なブーツキーパーには防塵カバーを含み、該防塵カバーは調整ユニットのキャップ上に設けることを特徴とする請求項１から４のいずれか一項に記載の調整可能なブーツキーパー。
【請求項７】
前記調整可能なブーツキーパーには防塵カバーを含み、該防塵カバーは調整ユニットのキャップ上に設けることを特徴とする請求項５に記載の調整可能なブーツキーパー。
【考案の詳細な説明】
【技術分野】
【０００１】
本考案は、ブーツの筒を固定でき、筒丈に応じた調整が可能なブーツキーパーに関する。
【背景技術】
【０００２】
ブーツは筒丈によってショートブーツ、ハーフブーツ、ロングブーツに分けられる。その内、筒丈が高くなればなる程収納時に垂れ下がり曲がり易くなり、変形を起こし次に履く時の美観や快適性に影響を及ぼすことになる。
【０００３】
ブーツ収納時の変形問題を改善するため、例えば、特許文献１のブーツキーパーは単に筒を支える用途だけであり、ブーツキーパーの本体が一体成形であるため、筒丈に応じて調整することはできず、応用性に欠けるという欠点がある。
また、前記ブーツキーパーには除湿除臭作用はないため、ブーツは湿気を受けて黴が生え易く、耐え難い臭いの発生を引き起こすこともある。また、前記ブーツキーパーには防塵効果がないため、塵やホコリがブーツに溜まり、きれいに手入れができない。
【先行技術文献】
【特許文献】
【０００４】
【特許文献１】台湾実用新案第Ｍ３２７６７５号明細書
【考案の概要】
【考案が解決しようとする課題】
【０００５】
本考案の主な目的は、調整可能なブーツキーパーの提供にあり、この設計を通して、ブーツの筒丈に応じた調整が不可能であるブーツキーパーの欠点を改善する。
【課題を解決するための手段】
【０００６】
以上の目的を達成するために、本考案の設計する調整可能なブーツキーパーは、キーパーユニットと調整ユニットを含む。前記キーパーユニットには主棒を備え、主棒の両側にはそれぞれ弾性体を設け、弾性体上には支持壁を設置する。前記調整ユニットにはキーパーユニットに組み合わせるための挿入体と、挿入体に従って移動するキャップを設ける。
【０００７】
前述における調整可能なブーツキーパーのキーパーユニットは、ブーツの筒に挿入して筒を支えることにより、筒を真っ直ぐにし変形を防ぐ。また、主棒上に取り付ける調整ユニットは、上下移動を可能とし、尚且つキャップを備える。該調整ユニットは、筒丈の異なる筒に応じてキャップ位置を調整することにより、キャップを筒の開口箇所に配置させる。本考案のもう一つの目的は、キャップで筒の開口を塞ぎ、ブーツ内への塵やホコリ、湿気の進入を減少させることにある。
【考案の効果】
【０００８】
本考案の調整可能なブーツキーパーは、ブーツの筒丈に応じた調整によって、筒を支え変形を防ぎ、ブーツ内への塵やホコリ、湿気の進入を減少させる効果を果たす。
【図面の簡単な説明】
【０００９】
【図１】本考案調整可能なブーツキーパーの実施例の立体組立図である。
【図２】本考案調整可能なブーツキーパーの実施例の立体分解図である。
【図３】本考案調整可能なブーツキーパーの実施例における吸着ユニットの軸回転を示す図である。
【図４】本考案調整可能なブーツキーパーの実施例におけるキーパーユニットの一部組立図である。
【図５】本考案調整可能なブーツキーパーの実施例において調整ユニットを引っ張り出す前の側面図である。
【図６】本考案調整可能なブーツキーパーの実施例において調整ユニットを引っ張り出した後の側面図である。
【図７】本考案調整可能なブーツキーパーの実施例においてショートブーツに挿入した使用状態を示す図である。
【図８】本考案調整可能なブーツキーパーの実施例においてロングブーツに挿入した使用状態を示す図である。
【図９】本考案調整可能なブーツキーパーのもう一つの実施例において防塵カバーをブーツの外側に被せた使用状態を示す図である。
【考案を実施するための形態】
【００１０】
図１及び図２に示した本考案調整可能なブーツキーパーの実施例において、それはキーパーユニット３０と調整ユニット４０を含み、さらに吸着ユニット１０を含む。
【００１１】
前記キーパーユニット３０には主棒３１を備え、主棒３１の一端には嵌合体３５を設け、嵌合体３５の内壁面には対応する定位部３６を設ける。主棒３１の両側にはそれぞれ弾性体３２を設け、弾性体３２上には支持壁３３を設置する。図４に示すとおり、主棒３１の両側には嵌着部３９をそれぞれ設け、二つの弾性体３２上には嵌着孔を設ける。嵌着孔と嵌着部の嵌合により、二つの弾性体３２は主棒３１に取り付けられる。二つの支持壁３３は弾性体３２に一体成形される。主棒３１の一端には嵌合体３５を設け、嵌合体３５の内壁面には対応する定位部３６を設ける。
【００１２】
前記調整ユニット４０には嵌合体３５に取り付けられる挿入体４２を設け、挿入体４２は複数の間隔をあけて配列し、尚且つ選択性で定位部３６に対応する調整部４４を設ける。調整ユニット４０には挿入体４２に従って移動するキャップ４３を設けるため、調整ユニット４０はキーパーユニット３０の嵌合体３５に移動可能な状態で取り付けられる。尚、挿入体４２上には取っ手４１を設ける。
【００１３】
図４から図６に示すとおり、前記取っ手４１は挿入体４２の一端に設け、挿入体４２のもう一端の側面には位置限定体４５を設ける。前記装着部３４と嵌合体３５は主棒３１の両端に位置し、主棒３１上には位置限定体４５に係合するストッパー３７を設ける。ストッパー３７は位置限定体４５を停止させる働きをするため、挿入体４２は嵌合体３５から抜け落ちることがない。図４に示すとおり、キャップ４３近くの取っ手４１側面には嵌入部４６を設け、キャップ４３上には、挿入体４２を通過させるための貫通孔４７と、嵌入部４６を通過させて嵌着させる嵌入孔４８を設ける。また、前記支持壁３３には溝部３８を設ける。
【００１４】
調整可能なブーツキーパーはさらに、吸着材料を備えた吸着ユニット１０を含む。吸着ユニット１０内部に設けた吸着材料は、湿気を吸着する除湿剤であるか、或いは吸着ユニット１０内部に設けた吸着材料は、臭気を吸着する活性炭である。その内、吸着ユニット１０は吸着布、或いは吸着パックとするか、或いは、吸着ユニット１０は、複数の穴１２を備えた外殻１１と、外殻１１に設けた電源プラグ１４を含む。本考案の好ましい実施例において、電源プラグ１４は外部電源に電気的に接続し、電気エネルギーから熱エネルギーを生じさせて吸着材料を加熱し、これにより吸着材料が吸着している水分を蒸発させる。これは、繰り返し使用可能であり尚且つ環境保護にも役立つ。
【００１５】
前記外殻１１には枢着軸１３を設ける。尚、調整可能なブーツキーパーにはさらに連結頭部２０を儲け、連結頭部２０には第一連接部２１と第二連接部２２を含み、第二連接部２２は外殻１１の枢着軸１３に掛け渡して枢着する。また、図３に示すとおり、嵌合体３５に対応する主棒３１の一端には第一連接部２１に連接する装着部３４を設け、吸着ユニット１０は連結頭部２０で軸回転する。
【００１６】
図９に示すとおり、調整可能なブーツキーパーには防塵カバー５０を含み、防塵カバー５０は調整ユニット４０のキャップ４３上に設ける。
【００１７】
図７から図９に示すとおり、調整可能なブーツキーパーをブーツ６０に入れる際は、吸着ユニット１０から先にブーツ６０に挿入させる。図３に示すとおり吸着ユニット１０は、対応する連結頭部２０を回転させてブーツ６０底の収納空間箇所に便利に入れられ、吸着ユニット１０の吸着材料（例えば、乾燥剤や脱臭材料（例えば、活性炭等））でブーツ６０内の湿気や臭気を吸収することができる。また、ブーツ６０の筒に挿入するキーパーユニット３０の支持壁３３は筒を支えるため、筒を真っ直ぐにし、筒の変形を防ぐことができる。使用者はブーツ６０の筒丈に応じて、取っ手４１を持って挿入体４２を引っ張り、キーパーユニット３０の定位部３６を挿入体４２の調整部４４に挿入して挿入体４２を定位させる。キャップ４３は挿入体４２と共に移動し、筒の開口箇所に移動させて開口箇所を塞ぐため、塵やホコリ、異物、湿気の筒内への進入を減少させ、さらに、防塵カバー５０で筒の外側を覆うと、塵やホコリの筒外側への付着を防ぐことができる。
【００１８】
前述をまとめると、調整可能なブーツキーパーのキーパーユニット３０は筒を支ええることができるため、収納時に筒を変形させることなく、キャップ４３と防塵カバー５０は防塵、防湿の働きをする。また、調整ユニット４０はブーツ６０の筒丈に応じて適度に調整できるため、適用性に優れるものである。また、吸着ユニット１０はブーツ６０内の湿気や臭気を吸収し、乾燥状態を保たせ、黴の発生を防ぐ。尚、吸着ユニット１０は加熱方式によって吸着材料が吸収した水分を蒸発させるため、吸着ユニット１０は繰り返し使用が可能であり、地球環境を守ることができる。
【符号の説明】
【００１９】
１０  吸着ユニット
１１  外殻
１２  穴
１３  枢着軸
１４  電源プラグ
２０  連結頭部
２１  第一連接部
２２  第二連接部
３０  キーパーユニット
３１  主棒
３２  弾性体
３３  支持壁
３４  装着部
３５  嵌合体
３６  定位部
３７  ストッパー
３８  溝部
３９  嵌着部
４０  調整ユニット
４１  取っ手
４２  挿入体
４３  キャップ
４４  調整部
４５  位置限定体
４６  嵌入部
４７  貫通孔
４８  嵌入孔
５０  防塵カバー
６０  ブーツ
【図１】
0003179341.tif 000003
【図２】
0003179341.tif 000004
【図３】
0003179341.tif 000005
【図４】
0003179341.tif 000006
【図５】
0003179341.tif 000007
【図６】
0003179341.tif 000008
【図７】
0003179341.tif 000009
【図８】
0003179341.tif 000010
【図９】
0003179341.tif 000011